(57)【要約】      （修正有）【課題】サイドシートを乗り越えた体液が、幅方向へ流れて当該物品の外へ漏れ出すことを低減することができる体液吸収性物品を提供する。【解決手段】体液を透過させ得る透液性を有するトップシートと不透液性を有するバックシートとの間に該体液を吸収・保持する吸収体を配設し、前記トップシートを基端として上方に立ち上げられた自由端を有するサイドシートを備えてなる体液吸収性物品において、該サイドシートの立ち上がり部分の外表面が撥水性を有し、トップシートの側縁部から更に幅方向外向きに延出した平面部分を有し、この平面部分の少なくとも上表面が親水性を有するように構成されることを特徴とする。【選択図】図３
0003128205.tif 000002
【実用新案登録請求の範囲】
【請求項１】
少なくとも、肌に接触し、体液を透過させ得る透液性を有するトップシートと不透液性を有するバックシートとの間に該体液を吸収・保持する吸収体を配設し、前記トップシートの側縁の一部に該トップシートの上面に対して上方に立ち上げられた自由端を有するサイドシートを備えてなる体液吸収性物品において、該サイドシートの立ち上がり部分の内外両面が共に撥水性を有し、トップシートの側縁部から更に幅方向外向きに延出した平面部分を有し、この平面部分の少なくとも上表面が親水性を有するように構成されることを特徴とする体液吸収性物品。
【請求項２】
サイドシートの平面部分の下表面が、撥水性を有するように構成されることを特徴とする請求項１に記載の体液吸収性物品。
【請求項３】
サイドシートが、片面が親水性で、他の面が撥水性を有するシート材から構成されることを特徴とする請求項１又は２に記載の体液吸収性物品。
【請求項４】
サイドシートを構成するシート材が、撥水性を発現するスパンボンド不織布上に、親水性を発現する混綿繊維を積繊して１枚のシートに形成されたものであることを特徴とする請求項１乃至３の何れかに記載の体液吸収性物品。
【請求項５】
サイドシートの立ち上がり部分が、サイドシートを構成するシート材の周縁部近傍の一部を折り返して形成されることを特徴とする請求項１乃至４の何れかに記載の体液吸収性物品。
【請求項６】
トップシートに対するサイドシートの接合が、サイドシートを構成するシート材の周縁部近傍の一部を折返してなる該サイドシートの立ち上がり部分の根元部分と前記トップシートの側縁部とを重ねつつ、この重なり部分を互いに密着するようにヒートシールすることによってなされることを特徴とする請求項１乃至５の何れかに記載の体液吸収性物品。
【考案の詳細な説明】
【技術分野】
【０００１】
本考案は、排泄体液を吸収して、逃さず保持させることを目的とした物品、特に生理用ナプキンに関する。
【背景技術】
【０００２】
生理用ナプキンに代表される体液吸収性物品は、既に多くの商品が提供され広く普及している。その基本機能には、対象とする体液を当該物品の外に漏らすことなく吸収し、且つ体圧等の外部要因の影響を受けても吸収した体液を逃さないといったことが要求される。このような基本機能を有する現行の体液吸収性物品に対し、使用者は概ね満足しているといえる結果があるものの個人差や使用する機会によっては希に漏れが発生しているという実状がある。
【０００３】
漏れの原因は様々であるが、長さ方向つまり当該物品の前後端からの漏れよりも、幅方向つまり当該物品の左右端から漏れることが多いという実体が知られている。この漏れは当該物品のトップシートで吸収しきれなかった体液が、就寝姿勢を除いてはほぼ水平となる当該物品の左右方向に向かって流れて漏れていることが多いと考えられている。
【０００４】
現在提供されているものの中には、上記幅方向の漏れの対策として、トップシート上面を基端として上方に立ち上げられた自由端を有する所謂立体ギャザー或いはサイドギャザーとも呼ばれるサイドシートを有するものがある。このような構成の代表例としては、特開２００３−１９９７８４号公報（特許文献１）、特開２００１−１０４３７１号公報（特許文献２）、特開２００３−２９０２８２号公報（特許文献３）、特開２００２−２３８９４９号公報（特許文献４）に記載の技術が挙げられる。また、前記自由端を筒状に折返し内部に伸張状態の弾性体を配設し、使用時に、上方つまり使用者の肌方向へより積極的に密着するように構成し該幅方向の漏れを低減することを目指したものもある。これらは、トップシートで吸収しきれなかった体液が幅方向に流れようとしたときに防波堤のように機能して漏れの発生を抑制するように構成されたものである。
【０００５】
上記の如くの防波堤の効果を高めるためには、該防波堤によって堰き止められた体液が徐々にトップシートから吸収体へ移行するように構成されていることが必要であり、このことから自由端部分は体液をはじく物性、つまり撥水性を有するものであることが望ましい。これは、自由端部分が親水性であると自由端を体液が貫通してしまう現象が起こり得るからである。
【０００６】
しかしながら、このように構成された自由端部分による体液の幅方向の漏れの堰き止めも完全ではなく、使用者の動作等で当該物品がよれたり、肌から離れたりする状態があると、一部の体液が自由端を乗り越え、当該物品の左右端方向へ流れることが起こり得る。このとき、前記自由端より外方部分、つまり吸収体がない部分を体液が伝うことになるがこの部分を疎水性に構成すると当該物品の外部へ体液が流れやすくなるという問題が生じる。
【０００７】
【特許文献１】特開２００３−１９９７８４号公報
【特許文献２】特開２００１−１０４３７１号公報
【特許文献３】特開２００３−２９０２８２号公報
【特許文献４】特開２００２−２３８９４９号公報
【考案の開示】
【考案が解決しようとする課題】
【０００８】
この考案は、上記問題に鑑みてなされたものであり、防波堤的な役割を担うサイドシートを乗り越えた体液が、幅方向へ流れて当該物品の外へ漏れ出すことを低減することができる体液吸収性物品を提供せんとするものである。
【課題を解決するための手段】
【０００９】
上記課題を解決するためにこの考案が採った手段は、少なくとも、肌に接触し、体液を透過させ得る透液性を有するトップシートと不透液性を有するバックシートとの間に該体液を吸収・保持する吸収体を配設し、前記トップシートの側縁の一部に該トップシートの上面に対して上方に立ち上げられた自由端を有するサイドシートを備えてなる体液吸収性物品において、該サイドシートの立ち上がり部分の内外両面が共に撥水性を有し、トップシートの側縁部から更に幅方向外向きに延出した平面部分を有し、この平面部分の少なくとも上表面が親水性を有するように構成されることを特徴とする。
【００１０】
また、サイドシートの平面部分の下表面が、撥水性を有するように構成されることを特徴とし、サイドシートが、片面が親水性で、他の面が撥水性を有するシート材から構成されることを特徴とする。更に、サイドシートを構成するシート材が、撥水性を発現するスパンボンド不織布上に、親水性を発現する混綿繊維を積繊して１枚のシートに形成されたものであることを特徴とする。
【００１１】
また、サイドシートの立ち上がり部分が、サイドシートを構成するシート材の周縁部近傍の一部を折り返して形成されることを特徴とする。
【００１２】
また、トップシートに対するサイドシートの接合が、サイドシートを構成するシート材の周縁部近傍の一部を折返してなる該サイドシートの立ち上がり部分の根元部分と前記トップシートの側縁部とを重ねつつ、この重なり部分を互いに密着するようにヒートシールすることによってなされることを特徴とする。
【考案の効果】
【００１３】
本考案のサイドシートの立ち上がり部分表裏面に撥水面が露出するように構成し、平面部分の上面を親水性にした体液吸収性物品によれば、防波堤的な役割を担うサイドシートの立ち上がり部分を撥水性にしたことにより、毛細管現象のようにして体液が防波堤を越えてしまうことを防止すると共に、万一体液が何等かの要因によって該防波堤を乗り越えてしまっても該防波堤より幅方向外側に延出した親水性を有するシート材が、乗り越えた体液を滲ませるように吸収するため幅方向の漏れ出しを低減することができるという効果がある。
【００１４】
また、上記サイドシートとして、片面が撥水性でこの裏面が親水性を有し、表裏面で互いに異なる性質を有する１枚のシート材を用いて、サイドシートの立ち上がり部分と平面部分とを一体的に形成し、この際に立ち上がり部分の根元部分をトップシートに対して一体的にヒートシールすることでサイドシートとトップシートとを接合してなる体液吸収性物品によれば、資材点数を減少させることができると共に、このような構成によってもたらされる機能及び性能と同様の機能や性能を有する体液吸収性物品中において、製造が著しく簡易化され、安定した高速生産が可能となり、製造費用の低減化を図ることができるという効果がある。
【考案を実施するための最良の形態】
【００１５】
この考案の好ましい実施の形態を以下に詳細に説明する。本実施の形態における体液吸収性物品は、肌に触れ、体液を透過させ得る透液性を有するトップシートと、該体液を透過させない不透液性を有するバックシートと、これらの間に配設される該体液を吸収・保持する吸収体と、前記トップシートの側縁に配設され、前記吸収体の側縁部を覆いつつ該吸収体の長手方向に沿って、該トップシートの上面に対して上方に立ち上げられた自由端を有するサイドシートとを備えている。
【００１６】
サイドシートは、撥水性を発現するスパンボンド不織布上に、親水性を発現するスパンレース製法によってなる混綿繊維を積繊した１枚のシート材からなる。このサイドシートは、トップシートの上面に対して上方に立ち上がった立ち上がり部分と、この立ち上がり部分より更に、吸収体の幅方向外向きに延出した平面部分とからなる。立ち上がり部分は、前記シート材の周縁部近傍の一部を、折り返し状態における外側表面が撥水性面となるように折り返して形成し、平面部分は上面が親水性でこの裏面が撥水性となるように形成する。
【００１７】
このように構成されたサイドシートは、トップシートの側縁部に重ねられ、該トップシートと共に該サイドシートの折り返して形成された立ち上がり部分の根元部分と互いに密着するようにヒートシールによって接合される。
【実施例１】
【００１８】
この考案の一実施例を以下に図１乃至３を参照しながら説明する。尚、以下においては先の実施の形態において説明した部分に関して説明を省略する。本実施例における体液吸収性物品(１)のトップシート(２)は、２．６ｄｔｅｘ、芯がＰＥＴで鞘がＰＥの複合繊維からなり、リン酸系親水化剤によって後処理してなる３０ｇ／ｍ２のホットエアースルー製法不織布を用いている。また、バックシート(３)は、２８ｇ／ｍ２のＬＤＰＥフィルムを使用し、トップシート(２)とバックシート(３)との間に配設される吸収体(４)としては、（３００ｇ／ｍ２）／（３０ｇ／ｍ２）のパルプ／ＳＡＰ混合繊維を用い、その上部に吸収紙(５)（１３．５ｇ／ｍ２のティッシュ）を配置してなる。サイドシート(６)は、撥水性を発現する１５ｇ／ｍ２のＰＰスパンボンド不織布(７)上に、レーヨン１７．５ｇ／ｍ２で、芯がＰＰ、鞘がＰＥ７．５ｇ／ｍ２からなるスパンレース製法不織布(８)を積繊してなる。
【実施例２】
【００１９】
この考案の一変形例を図４を参照しながら説明する。本実施例における体液吸収性物品(９)は、上記実施例１と同様のトップシート(２)と、バックシート(３)及び吸収体(４)を用いて構成する一方、サイドシート(10)を、立ち上がり部分(11)と平面部分(12)とを互いに異なる材料から構成して、ヒートシール(ｈ)によって互いに接合してなっている。この立ち上がり部分(11)は、実施例１におけるサイドシート(６)の立ち上がり部分と同様に、撥水性を発現する１５ｇ／ｍ２のＰＰスパンボンド不織布(７)上に、レーヨン１７．５ｇ／ｍ２で、芯がＰＰ、鞘がＰＥ７．５ｇ／ｍ２からなるスパンレース製法不織布(８)を積繊してなるシート材を、外側表面が撥水面となるように折り曲げて形成してなる。これに対して、平面部分(12)はトップシート(２)の構成材料と同様の材料によって形成し、該平面部分(12)の表裏面が親水性を有するものとなっている。
【図面の簡単な説明】
【００２０】
【図１】当該考案の体液吸収性物品の平面図
【図２】同断面図
【図３】同サイドシート周辺部の拡大図
【図４】一変形例におけるサイドシート周辺部の拡大図
【符号の説明】
【００２１】
１  体液吸収性物品
２  トップシート
３  バックシート
４  吸収体
５  吸収紙
６  サイドシート
７  ＰＰスパンボンド不織布
８  スパンレース製法不織布
９  体液吸収性物品
10  サイドシート
11  立ち上がり部分
12  平面部分
ｈ  ヒートシール
【図１】
0003128205.tif 000003
【図２】
0003128205.tif 000004
【図３】
0003128205.tif 000005
【図４】
0003128205.tif 000006